【手続補正書】
【提出日】平成26年10月1日(2014.10.1)
【手続補正１】
【補正対象書類名】明細書
【補正対象項目名】発明の名称
【補正方法】変更
【補正の内容】
【発明の名称】電子回路及び半導体装置
【手続補正２】
【補正対象書類名】特許請求の範囲
【補正対象項目名】全文
【補正方法】変更
【補正の内容】
【特許請求の範囲】
【請求項１】
第１のコイルが出力する送信用信号を電磁誘導により受信する第２のコイルと、
前記第２のコイルの誘導起電力と第１の基準電位との電圧を比較して、前記第２のコイルの誘導起電力の方が高いときパルス信号を出力する第１のコンパレータと、
前記第２のコイルの誘導起電力と第２の基準電位との電圧を比較して、前記第２のコイルの誘導起電力の方が低いときパルス信号を出力する第２のコンパレータと、
前記第１のコンパレータからパルス信号が出力されたとき第１の受信用矩形波信号を出力し、前記第１のコンパレータからパルス信号が連続して２回以上出力されたとき第１のエラー信号を出力し、前記第２のコンパレータからパルス信号が出力されたとき保持していた情報がリセットされる第１の信号処理回路と、
前記第２のコンパレータからパルス信号が出力されたとき第２の受信用矩形波信号を出力し、前記第２のコンパレータからパルス信号が連続して２回以上出力されたとき第２のエラー信号を出力し、前記第１のコンパレータからパルス信号が出力されたとき保持していた情報がリセットされる第２の信号処理回路と、を有する電子回路。
【請求項２】
第１のコイルが出力する送信用信号を電磁誘導により受信する第２のコイルと、
前記第２のコイルの誘導起電力と第１の基準電位との電圧を比較して、前記第２のコイルの誘導起電力の方が高いときパルス信号を出力する第１のコンパレータと、
前記第２のコイルの誘導起電力と第２の基準電位との電圧を比較して、前記第２のコイルの誘導起電力の方が低いときパルス信号を出力する第２のコンパレータと、
前記第１のコンパレータからパルス信号が出力されたとき第１の受信用矩形波信号を出力し、前記第１のコンパレータからパルス信号が連続して２回以上出力されたとき第１のエラー信号を出力し、前記第２のコンパレータからパルス信号が出力されたとき保持していた情報がリセットされる第１の信号処理回路と、
前記第２のコンパレータからパルス信号が出力されたとき第２の受信用矩形波信号を出力し、前記第２のコンパレータからパルス信号が連続して２回以上出力されたとき第２のエラー信号を出力し、前記第１のコンパレータからパルス信号が出力されたとき保持していた情報がリセットされる第２の信号処理回路と、を有し、
前記第１の信号処理回路は、
第１のＤ型フリップフロップおよび第２のＤ型フリップフロップを有し、
前記第１のＤ型フリップフロップおよび前記第２のＤ型フリップフロップは、クロック端子、出力端子、反転出力端子、データ入力端子およびリセット端子を有し、
前記第２の信号処理回路は、
第３のＤ型フリップフロップおよび第４のＤ型フリップフロップを有し、
前記第３のＤ型フリップフロップおよび前記第４のＤ型フリップフロップは、クロック端子、出力端子、反転出力端子、データ入力端子およびリセット端子を有し、
前記第１のコンパレータから出力されたパルス信号は、前記第１のＤ型フリップフロップのクロック端子、前記第３のＤ型フリップフロップのリセット端子および前記第４のＤ型フリップフロップのリセット端子に入力され、
前記第１のＤ型フリップフロップの出力端子から出力される前記第１の受信用矩形波信号の反転出力信号は、前記第１のＤ型フリップフロップのデータ入力端子および前記第２のＤ型フリップフロップのクロック端子に入力され、
前記第２のＤ型フリップフロップの出力端子から出力される前記第１のエラー信号の反転出力信号は、前記第２のＤ型フリップフロップのデータ入力端子に入力され、
前記第２のコンパレータから出力されたパルス信号は、前記第３のＤ型フリップフロップのクロック端子、前記第１のＤ型フリップフロップのリセット端子および前記第２のＤ型フリップフロップのリセット端子に入力され、
前記第３のＤ型フリップフロップの出力端子から出力される前記第２の受信用矩形波信号の反転出力信号は、前記第３のＤ型フリップフロップのデータ入力端子および前記第４のＤ型フリップフロップのクロック端子に入力され、
前記第４のＤ型フリップフロップの出力端子から出力される前記第２のエラー信号の反転出力信号は、前記第４のＤ型フリップフロップのデータ入力端子に入力される電子回路。
【請求項３】
第１のコイルが出力する送信用信号を電磁誘導により受信する第２のコイルと、
前記第２のコイルの誘導起電力と第１の基準電位との電圧を比較して、前記第２のコイルの誘導起電力の方が高いときパルス信号を出力する第１のコンパレータと、
前記第２のコイルの誘導起電力と第２の基準電位との電圧を比較して、前記第２のコイルの誘導起電力の方が低いときパルス信号を出力する第２のコンパレータと、
前記第１のコンパレータからパルス信号が出力されたとき第１の受信用矩形波信号を出力し、前記第１のコンパレータからパルス信号が連続して２回以上出力されたとき第１のエラー信号を出力し、前記第２のコンパレータからパルス信号が出力されたとき保持していた情報がリセットされる第１の信号処理回路と、
前記第２のコンパレータからパルス信号が出力されたとき第２の受信用矩形波信号を出力し、前記第２のコンパレータからパルス信号が連続して２回以上出力されたとき第２のエラー信号を出力し、前記第１のコンパレータからパルス信号が出力されたとき保持していた情報がリセットされる第２の信号処理回路と、
前記第２のコンパレータと前記第１の信号処理回路との間に第１のインバーター回路と、
前記第１のコンパレータと前記第２の信号処理回路との間に第２のインバーター回路と、を有し、
前記第１の信号処理回路は、
第１のＴ型フリップフロップおよび第２のＴ型フリップフロップを有し、
前記第１のＴ型フリップフロップおよび前記第２のＴ型フリップフロップは、カウント入力端子、出力端子、反転出力端子および反転リセット端子を有し、
前記第１のコンパレータから出力されたパルス信号は、前記第１のＴ型フリップフロップのカウント入力端子および前記第２のインバーター回路に入力され、
前記第１のＴ型フリップフロップの出力端子から出力される前記第１の受信用矩形波信号は、前記第２のＴ型フリップフロップのカウント入力端子に入力され、
前記第２の信号処理回路は、
第３のＴ型フリップフロップおよび第４のＴ型フリップフロップを有し、
前記第３のＴ型フリップフロップおよび前記第４のＴ型フリップフロップは、カウント入力端子、出力端子、反転出力端子および反転リセット端子を有し、
前記第２のコンパレータから出力されたパルス信号は、前記第３のＴ型フリップフロップのカウント入力端子および前記第１のインバーター回路に入力され、
前記第３のＴ型フリップフロップの出力端子から出力される前記第２の受信用矩形波信号は、前記第４のＴ型フリップフロップのカウント入力端子に入力される電子回路。
【請求項４】
互いに積層または隣接している少なくとも一の信号送信用のＩＣチップおよび信号受信用のＩＣチップを有し、前記信号送信用のＩＣチップは、第１のコイルが設けられた送信用回路を含み、前記信号受信用のＩＣチップは、受信用回路を含み、
前記受信用回路は、請求項１乃至３のいずれか一の電子回路を有する半導体装置。